(57)【要約】【課題】秀れた保水性，保肥性を発揮できることは勿論、軽量でありながら強風によっても飛散することがなく、更に、植物の植生に最適な緑化用軽量土壌を提供するものである。【解決手段】所定部位を緑化する際に使用される軽量土壌１であって、多孔質物質を主材とし、粘性を有する植物性の有機系安定材が混合されている緑化用軽量土壌。【選択図】        図１
2004329031.tif 000002
【特許請求の範囲】
【請求項１】
所定部位を緑化する際に使用される軽量土壌であって、多孔質物質を主材とし、粘性を有する植物性の有機系安定材が混合されていることを特徴とする緑化用軽量土壌。
【請求項２】
請求項１記載の緑化用軽量土壌において、前記多孔質物質は、炭化物及びパーライトから成ることを特徴とする緑化用軽量土壌。
【請求項３】
請求項１，２いずれか１項に記載の緑化用軽量土壌において、前記有機系安定材として、蒟蒻いも類等の穀物から生成される澱粉のりを主成分とする植物性の有機系安定材が採用されていることを特徴とする緑化用軽量土壌。
【請求項４】
請求項１〜３いずれか１項に記載の緑化用軽量土壌において、前記多孔質物質は、炭化物，パーライト及びゼオライトから成り、体積比で炭化物４５乃至５５，パーライト３５乃至４５の割合で混合された該炭化物及びパーライトの混合物にゼオライトが適宜な量混合されることにより形成されていることを特徴とする緑化用軽量土壌。
【請求項５】
請求項１〜４いずれか１項に記載の緑化用軽量土壌において、前記有機系安定材は、前記多孔質物質１ｍ３に対して１０乃至５０ｋｇ混合されていることを特徴とする緑化用軽量土壌。
【請求項６】
請求項１〜５いずれか１項に記載の緑化用軽量土壌において、中和材が混合されていることを特徴とする緑化用軽量土壌。
【請求項７】
請求項６記載の緑化用軽量土壌において、前記中和材として過燐酸石灰，硫安若しくは硫酸カリウムが採用されていることを特徴とする緑化用軽量土壌。
【発明の詳細な説明】
【０００１】
【発明の属する技術分野】
本発明は、緑化用軽量土壌に関するものである。
【０００２】
【従来の技術及び発明が解決しようとする課題】
例えば、積載過重に制限のある屋上の緑化や軟弱な地盤上での緑化において使用される土壌として軽量土壌が知られている。
【０００３】
この軽量土壌は、ゼオライトやパーライト等の多孔質物質を自然土壌に混合させて成るものや、該多孔質物質のみから成るものなどがある。尚、パーライトとは、ガラス質火成岩の一種である真珠岩を粉砕し１０００℃前後の高温で焼成発泡させて得られる多孔質物質である。
【０００４】
即ち、多孔質物質は非常に軽量であるために積載荷重が制限される屋上や軟弱な地盤上の緑化に用いるのに好適であり、その上、該多孔質物質内には空隙部が無数に存在するために、秀れた保水性，保肥性及び排水性を発揮できる土壌である。
【０００５】
しかしながら、この軽量土壌は、前述したように、非常に軽量であり、且つ、砂のようにさらさらしていることから、風が吹くと飛散し易いという問題点がある。
【０００６】
特に、強い風が吹くことの多い屋上においてこの軽量土壌を用いた場合には、該軽量土壌が強風によって飛散し易く、そのため、屋上に軽量土壌を敷設する際には、風によって飛散してしまうであろう量の軽量土壌を考慮して該軽量土壌を予め厚めに敷設したり、あるいは、屋上に敷設した軽量土壌が飛散して層厚が薄くなる度に新たな軽量土壌を敷設しなければならないなどの問題点がある。
【０００７】
従って、軽量であり且つ保水性や排水性等に秀れる軽量土壌を、結局のところ、十分に有効利用できていない現状である。
【０００８】
ところで、従来から、例えば特開２００３−３３１１２号公報（発明の名称：屋上緑化システム）に見られるような、火山灰風化土等の土壌中に該土壌を固定するための土壌固定材を添加することで、該土壌を固めて侵食に耐える土壌を作る技術が提案されている。
【０００９】
しかしながら、この技術によれば、土壌中に化学合成により製造された土壌固定材により土壌を固めるために、植物の植生を極めて良好に行うことができるとは言い難い。
【００１０】
そのため、軽量でありながら極めて飛散しにくく、且つ、植物の植生に最適となる軽量土壌が望まれている。
【００１１】
本発明は、秀れた保水性，保肥性を発揮できることは勿論、軽量でありながら強風によっても飛散することがなく、更に、植物の植生に最適な緑化用軽量土壌を提供するものである。
【００１２】
【課題を解決するための手段】
添付図面を参照して本発明の要旨を説明する。
【００１３】
所定部位を緑化する際に使用される軽量土壌１であって、多孔質物質を主材とし、粘性を有する植物性の有機系安定材が混合されていることを特徴とする緑化用軽量土壌に係るものである。
【００１４】
また、請求項１記載の緑化用軽量土壌において、前記多孔質物質は、炭化物及びパーライトから成ることを特徴とする緑化用軽量土壌に係るものである。
【００１５】
また、請求項１，２いずれか１項に記載の緑化用軽量土壌において、前記有機系安定材として、蒟蒻いも類等の穀物から生成される澱粉のりを主成分とする植物性の有機系安定材が採用されていることを特徴とする緑化用軽量土壌に係るものである。
【００１６】
また、請求項１〜３いずれか１項に記載の緑化用軽量土壌において、前記多孔質物質は、炭化物，パーライト及びゼオライトから成り、体積比で炭化物４５乃至５５，パーライト３５乃至４５の割合で混合された該炭化物及びパーライトの混合物にゼオライトが適宜な量混合されることにより形成されていることを特徴とする緑化用軽量土壌に係るものである。
【００１７】
また、請求項１〜４いずれか１項に記載の緑化用軽量土壌において、前記有機系安定材は、前記多孔質物質１ｍ３に対して１０乃至５０ｋｇ混合されていることを特徴とする緑化用軽量土壌に係るものである。
【００１８】
また、請求項１〜５いずれか１項に記載の緑化用軽量土壌において、中和材が混合されていることを特徴とする緑化用軽量土壌に係るものである。
【００１９】
また、請求項６記載の緑化用軽量土壌において、前記中和材として過燐酸石灰，硫安若しくは硫酸カリウムが採用されていることを特徴とする緑化用軽量土壌に係るものである。
【００２０】
【発明の作用及び効果】
本発明の軽量土壌１は、多孔質物質に粘性を有する有機系安定材が混合されて形成されているから、該多孔質物質はこの粘性を有する有機系安定材によって連結された状態となり、よって、多孔質物質自体は軽量であっても粘性を有する有機系安定材（以下、単に有機系安定材という。）によって保持されているため、例えば強い風が吹いても該多孔質物質はほとんど飛散しない。
【００２１】
従って、例えば、強い風が吹く屋上に本発明の軽量土壌１が配設されても、この軽量土壌１は強風によって極めて飛散しにくく、よって、従来のように、予め強風によって飛散するであろう軽量土壌の量を考慮して該軽量土壌を厚めに配設する必要がなく、また、屋上に配設した軽量土壌が、強い風によって飛散する度に、該飛散した分の軽量土壌を新たに配設する手間も要しない。
【００２２】
また、本発明では、安定材として有機系のものを採用しているため、該安定材は土壌中で分解され、残存し続けることを防止することができることは勿論、本発明の有機系安定材は植物性であるため、植物の生育を阻害することなく該植物を良好に植生することができ、また、使用者に対しても悪影響（人体的な悪影響）を与えることなく、よって、安心して取り扱うことができる。
【００２３】
また、多孔質物質は、無数の空隙部を有しているため良好な吸着性を発揮でき、よって、水分及び肥料分を吸着保持して秀れた保水性及び秀れた保肥性を発揮する。
【００２４】
また、この無数の空隙部により、秀れた通水性や通気性も発揮する。
【００２５】
本発明は上述のように構成したから、秀れた保水性，保肥性，通水性及び通気性を発揮できることは勿論、軽量であるため特に屋上の緑化や軟弱地盤での緑化においての使用に秀れ、しかも、強風によっても飛散することがなく、更に、植物の植生に最適であり、よって、薄層で十分且つ良好に緑化することが可能な極めて実用性，施工作業性に秀れた画期的な緑化用軽量土壌となる。
【００２６】
【発明の実施の形態】
図面は本発明の一実施例を図示したものであり、以下に説明する。
【００２７】
本実施例は、屋上緑化の際に使用する軽量土壌に本発明を適用したものである。
【００２８】
本実施例の軽量土壌１は、多孔質物質に植物性の有機系安定材が混合されて成る構成としている。
【００２９】
多孔質物質としては、炭化物，パーライト及びゼオライトの混合物を採用し、体積比で炭化物４５乃至５５，パーライト３５乃至４５の割合で混合された該炭化物及びパーライトの混合物にゼオライトが適宜な量混合されて形成されている。尚、本実施例の多孔質物質は、炭化物とパーライトとの混合物にゼオライトが適宜な量混合されて成る構成としたが、このゼオライトの混合量は零に設定しても良い。
【００３０】
具体的には、本実施例では、多孔質物質は、体積比で炭化物５０，パーライト４０，ゼオライト１０の割合で形成されたものを採用している。
【００３１】
この炭化物の混合割合は、従来の軽量土壌に比べて非常に高い混合割合であり、これにより、炭化物が発揮する吸着性により、極めて秀れた保水性，保肥性等を発揮する軽量土壌となる。
【００３２】
炭化物としては、木質系廃材より作成した炭化物が採用されている。
【００３３】
パーライトは、ガラス質火成岩の一種である真珠岩を粉砕して１０００℃前後の高温で焼成発泡させて得られるもので、非常に軽量であることから、軽量土壌１の軽量化に貢献している。
【００３４】
ゼオライトは、天然ゼオライト，人工ゼオライト若しくは合成ゼオライトのいずれを採用しても良い。
【００３５】
有機系安定材は、蒟蒻いも等から生成される澱粉のりを主成分として形成されている。
【００３６】
具体的には、有機系安定材は、炭水化物，タンパク質，脂質，灰分及び水から成る粘性を有した植物性の有機系安定材（植物性バインダー）が採用されている。
【００３７】
更に具体的には、この有機系安定材は、炭水化物が５０％（重量）乃至６０％（重量），タンパク質が１５％（重量）乃至２５％（重量），脂質が１％（重量）乃至１０％（重量）並びに灰分及び水が適宜な量混合されることにより形成されている。
【００３８】
また、有機系安定材は、従来廃棄処分していた材料を再利用したもので形成される構成としている。
【００３９】
本実施例では、有機系安定材として、炭水化物が５８．５％（重量）、タンパク質が１８．７％（重量）、脂質が３．８％（重量）、灰分が７．２％（重量）及び水が１１．８％（重量）の割合で構成されたものが採用されている。
【００４０】
有機系安定材の成分組成を、上述した割合に設定したのは、多孔質物質を有機系安定材により確実に保持でき、且つ、取り扱いをし易くし、且つ、植物を良好に植生できるようにするためである。
【００４１】
また、本実施例では、有機系安定材として植物性の有機系安定材を採用したため、植物１２の生育を阻害することなく該植物１２を良好に植生でき、また、使用者に対しても悪影響（人体的な悪影響）を与えることなく、よって、安心して取り扱うことができる。
【００４２】
本実施例の軽量土壌１には、中和材が混合されている。
【００４３】
軽量土壌１に中和材が混合されているのは、軽量土壌１中がアルカリ化することを防止するためである。
【００４４】
即ち、本実施例の軽量土壌１は、前述したように、保水性，保肥性を高めるために炭化物を従来に比して高い割合で（多量に）混合した構成としているが、軽量土壌に炭化物を多量に混合させると、該炭化物の作用により軽量土壌はアルカリ化してしまうという問題が生じる。
【００４５】
そのため、従来においては、軽量土壌に混合される炭化物の量がある程度の量に限られ、よって、該軽量土壌が発揮し得る保水性，保肥性等もある程度の高さに限られていた。
【００４６】
本実施例は、軽量土壌１に中和材が混合されることで、該軽量土壌１中に炭化物を高い割合で（多量に）混合しても、炭化物によるアルカリ化現象を中和材の中和作用により防止できるため、該炭化物を高い割合で（多量に）混合でき、よって、秀れた保水性，保肥性等を発揮できる軽量土壌となる。
【００４７】
本実施例では、中和材として過燐酸石灰が採用されている。尚、本実施例では、中和材として過燐酸石灰を採用したが、軽量土壌１内を中性化し得るものであれば適宜採用しても良く、例えば硫安や硫酸カリウム等を採用しても良い。
【００４８】
過燐酸石灰は、多孔質物質、即ち、炭化物，パーライト及びゼオライトの混合物１ｍ３に対して１ｋｇ乃至１０ｋｇ混合されている。
【００４９】
また、過燐酸石灰の混合量は、多孔質物質が強アルカリ状態の場合には、多孔質物質１ｍ３に対して５ｋｇ程度、多孔質物質がアルカリ状態の場合には、多孔質物質１ｍ３に対して３ｋｇ程度とすると良い。
【００５０】
本実施例の軽量土壌１には、肥料分が混合されている。
【００５１】
具体的には、本実施例では、軽量土壌１に混合した際に直ぐに栄養分を土壌内に供給する性質を有する肥料分と、軽量土壌１に混合した後、時間が経つにつれて栄養分が徐々に土壌中に供給される性質を有する肥料分の二種類の肥料分を採用している。
【００５２】
更に具体的には、即効性を有する肥料分として、例えば市販のちから１号（商品名）：日本肥糧株式会社製が採用され、また、時間が経つにつれて栄養分を土壌中に徐々に供給する肥料分として、例えば市販のミクレア（商品名）：日東化学工業株式会社製が採用されている。
【００５３】
また、本実施例では、多孔質物質１ｍ３に対してミクレアが２ｋｇ、ちから１号が３ｋｇ混合されている。
【００５４】
本実施例では、図１に示すように、屋上３に配設敷設した排水層２上に軽量土壌１が配設された構成としている。
【００５５】
この排水層２としては、本出願人が出願した特願２００３−９５７１３に記載のパネル体２を用いた構成としている。
【００５６】
このパネル体２は、複数の粒状の炭化物とセメントと水から成り、該炭化物がセメントにより結合されることでポーラス状に形成されたものである。
【００５７】
また、このパネル体には、中和材と高分子吸水材と増粘材とが混合された構成としている。
【００５８】
また、本実施例のパネル体２は、少なくとも炭化物とセメントとの混合割合が前記炭化物の量１ｍ３に対してセメントの量が５０ｋｇ乃至２００ｋｇとなるように設定されている。
【００５９】
具体的には、パネル体２は、炭化物の量１ｍ３あたりセメント５０乃至２０００ｋｇ、中和材の量０．８ｋｇ乃至７．０ｋｇ、高分子吸水材の量０．１ｋｇ乃至２．０ｋｇ、増粘材の量０乃至０．８ｋｇの割合で混合して成る混合物を所定形状に成形して成る構成としている。
【００６０】
中和材は、過燐酸石灰が採用されている。尚、過燐酸石灰以外にも、パネル体２内がアルカリ性若しくは酸性となった際に、これを中和し得るもの、例えば、硫安や硫酸カリウムを採用しても良い。
【００６１】
高分子吸水材は、合成樹脂系の吸水材（例えば栗田工業株式会社製の商品名：グラスパワーＧ−３００）を採用している。
【００６２】
増粘材は、水溶性セルロース等（例えば信越化学工業株式会社製の商品名：ＳＦＣＡ２０００等）を採用している。この増粘材は用途に応じて加える。
【００６３】
また、パネル体２は、透水係数が１．０×１００ｃｍ／ｓ乃至１．０×１０−３ｃｍ／ｓとなるようにポーラス状に形成されている。
【００６４】
また、パネル体２は、圧縮強度が１０ｔ／ｍ２以上となるようにポーラス状に形成されている。
【００６５】
本実施例では、パネル体２の厚さは５ｃｍ以下に設定されている。
【００６６】
また、パネル体２は、一辺が数十ｃｍ乃至数百ｃｍの平面視四角形状に設定されている。
【００６７】
前述したパネル体２は屋上３の緑化部位に配設される。
【００６８】
即ち、本実施例における屋上３の緑化は、先ず屋上３において緑化しようとする部位をコンクリートや合成樹脂のパネル等により形成した枠で囲繞して仕切壁５を形成する。
【００６９】
仕切壁５の所定箇所には、緑化部位に過剰な水分が供給された際、この過剰な水分を緑化部位外へ排出するための水抜き孔３０を設けている。
【００７０】
そして、この仕切壁５内に防水シート９を敷設し、この防水シート９上にパネル体２を配設する。
【００７１】
このパネル体２の上部には、該パネル体２内に軽量土壌１が侵入してパネル体２が目詰まりの発生を防止するためのフィルタ６が配設されている。
【００７２】
そして、このフィルタ６上に軽量土壌１が配設され、この軽量土壌１で植物１２を植生することで屋上３を緑化する。
【００７３】
本実施例では、軽量土壌１の厚さは５ｃｍ以下に設定されている。尚、本実施例では、軽量土壌１の厚さを５ｃｍ以下に設定した構成としたが、５ｃｍ以上に設定しても良い。即ち、植物１２として芝等の地被植物を植栽する場合には、軽量土壌１を５ｃｍ以下に設定して緑化部位を薄く形成すると良く、また、所定の高さを有する樹木等を植栽する場合には、該樹木等を支承し得る程度の厚さ、即ち、例えば５ｃｍ以上の厚さに軽量土壌を設定して緑化部位を形成しても良い。
【００７４】
尚、図中符号１１は、排水口（ドレインパイプ），１３は屋上３の周囲に設けられる壁部，１４は手摺りである。
【００７５】
本実施例によれば、炭化物，パーライト及びゼオライトの混合物に粘性を有する植物性の有機系安定材が混合されていることで、該炭化物，パーライト及びゼオライトの夫々が該有機系安定材によって付着されて夫々が連結され、粘性が付与された状態となる。
【００７６】
また、炭化物等の多孔質物質は、各々が微小な空隙部を無数に有することから、良好な吸着性を有し、よって、水分及び肥料分を吸収して秀れた保水性及び秀れた保肥性を発揮する。
【００７７】
また、この無数の空隙部により秀れた通水性，排水性を発揮する。
【００７８】
また、本実施例の軽量土壌１には、炭化物が多量に混合されているため、前述の保水性，保肥性を極めて良好に発揮できる。
【００７９】
また、軽量土壌１には、中和材である過燐酸石灰が混合されているため、炭化物が多量に混合されていても、該中和材の中和作用により、軽量土壌１がアルカリ化することを防止する。
【００８０】
また、本実施例では、排水層としてポーラス状に形成されたパネル体２を採用しており、このパネル体２には、多孔質物質である炭化物が含まれ、該炭化物は無数の空隙部を有しているため、この空隙部が水分を保持する作用を発揮して良好な保水性を発揮する。
【００８１】
また、パネル体２は、前述のように、ポーラス状であるため、多数の通水可能な空隙部を有し、よって、良好な排水性を発揮する。
【００８２】
また、パネル体２は、パネル状に形成されていることから、単に敷設したい部位に配するだけで排水層２を形成できるため、施工作業性に秀れる。
【００８３】
また、パネル体２は、炭化物をセメントで固化した構成であるため、耐荷重性にも秀れる。
【００８４】
本実施例は上述のように構成したから、保水性，保肥性及び排水性に秀れ、しかも、軽量でありながら強風が吹いてもほとんど飛散することがない極めて実用性に秀れた画期的な軽量土壌となる。
【００８５】
そのため、強風が吹く屋上３に軽量土壌１が配設されても該軽量土壌１は飛散しないため、従来のように、風により飛散するであろう量の軽量土壌を考慮して、予め軽量土壌を厚めに敷設したり、屋上に敷設した軽量土壌が飛散する度に該飛散した分の軽量土壌を補充したりする必要がなく、よって、緑化部位を薄層化でき、また、維持管理を容易に行うことができる。
【００８６】
また、本実施例の軽量土壌１は、乾燥時における比重が０．３程度であり、また、湿潤時における比重は０．９程度であり非常に軽量である。よって、強風が吹く屋上３や、軟弱な地盤での使用に好適となる。
【００８７】
また、本実施例の軽量土壌１は、炭化物が従来に比して多量に混合されており、これにより、１ｍ３あたり６００リットル以上の秀れた保水能力を有するため（含水率は６０％以上となる。）、灌水の回数も少なくて済み、よって、一層維持管理性に秀れる。
【００８８】
また、炭化物及びゼオライト自体が肥料を保持する性質を有しているため、秀れた保肥性を発揮することができる。
【００８９】
また、本実施例の軽量土壌１は、透水係数が２．９３×１０−３ｃｍ／ｓであり、通水性，排水性にも秀れる。
【００９０】
また、本実施例の軽量土壌１は、前述のように、粘性を有する植物性の有機質安定材が混合されているため、植物１２の生育を阻害することがなく該植物１２を良好に植生することができ、また、使用者に対しても悪影響を与えることがないため、いわば自然土壌のように安心して取り扱える緑化用軽量土壌となる。
【００９１】
また、本実施例の軽量土壌１は、前述のように、粘性を有する植物性の有機質安定材が混合されていることで粘性を有するため、従来に比べて植栽自由性が高まる。即ち、植物を支持する力が、軽量土壌に粘性が付与されることで向上するため、自然土壌や従来の軽量土壌等を用いた場合に比してより薄層状態で植物を植栽することができる。
【００９２】
また、有機系安定材は、従来廃棄処分していた材料を再利用したものであるため、資源リサイクル性に秀れる。
【００９３】
また、多孔質物質である炭化物は木質系の廃材より生成するため、この点においても資源リサイクル性に秀れる。
【００９４】
また、本実施例の軽量土壌１は、廃材等を利用して製造される上、使用する軽量土壌の量が少量で済むため、非常にコスト安に屋上３を緑化することができる。
【００９５】
また、本実施例の軽量土壌１には、中和材である過燐酸石灰が混合されているため、該軽量土壌１に、秀れた保水性，保肥性，排水性を付与し得る炭化物が多量に混合されても、従来のように、軽量土壌１がアルカリ化してしまうことがなく、これにより、炭化物を多量に混合させた構成にでき、よって、秀れた保水性，保肥性及び排水性に極めて秀れた緑化用軽量土壌となる。
【００９６】
また、本実施例では、排水層２として炭化物やセメント等から成るポーラス状のパネル体２を採用することで、保水性，保肥性，排水性に秀れるパネル体２上に、同じく保水性，保肥性，排水性に秀れ且つ飛散する心配のない軽量土壌１が配設されることとなるため、屋上における緑化部位自体を非常に薄層化できる上に、極めて良好に且つ手間をかけずに植物１２を植生することができ、しかも、コスト安に緑化部位を形成することができる。
【００９７】
即ち、排水層２として保水性，排水性に秀れるパネル体２を採用することで、雨が降らなかったり、しばらくの間、給水が行われなくとも、パネル体２内に保持された水分がパネル体２上の軽量土壌１に供給され、これにより、軽量土壌１に植栽された植物１２を良好に植生することができる。
【００９８】
また、過剰な降雨・散水等により軽量土壌１内の水分が過剰となっても、該軽量土壌１は排水性に秀れ、パネル体２もまた排水性に秀れるため、前記過剰な水分は緑化部位外に良好に排水されて植物１２を良好に植生することができる。
【００９９】
また、軽量土壌１は、軽量である上に施工厚さを薄く設定でき、また、パネル体２も軽量である上に薄く設定できるために、屋上３における緑化部位の形成を秀れた施工作業性をもって極めて簡易に行うことができる。
【図面の簡単な説明】
【図１】本実施例の使用状態を示す説明図である。
【符号の説明】
１  軽量土壌
【図１】
2004329031.tif 000003